(57)【要約】【課題】光ピックアップの副軸側走行案内機構のガイド軸受に対して副ガイドシャフトを径方向に嵌合させることと、ガイド軸受の軸線方向で支持シャフトをそのガイド軸受に円滑に嵌合させることとを可能にする。【解決手段】光ピックアップ１０の走行を案内する主軸側走行案内機構Ａ及び副軸側案内機構Ｂを備える。副軸側案内機構Ｂが、ガイド軸受２２と、軸受孔２４の壁面を副ガイドシャフト４２に弾接させるためのばね体５０と、を有する。軸受孔２４を窪み凹所によって形成し、ばね体５０に、傾斜姿勢の作用片５２と、ガイド片５４と、を具備させる。【選択図】図１
2012155812.tif 000002
【特許請求の範囲】
【請求項１】
記録媒体としてのディスクの記録面を走査する機能を備えた光ピックアップの光学ベースの走行を案内する主軸側走行案内機構及び副軸側案内機構を備え、
副軸側案内機構が、上記光学ベースに設けられたガイド軸受と、このガイド軸受の軸受孔に相対摺動自在に嵌合された副ガイドシャフトをその径方向に弾圧することによって上記軸受孔の壁面を当該副ガイドシャフトに弾接させるためのばね体と、を有し、このばね体が上記ガイド軸受の軸線方向の側部位置で上記光学ベースに取り付けられている光ピックアップの走行案内装置において、
上記軸受孔が、上記副ガイドシャフトを径方向に挿入可能な開口を有する窪み凹所によって形成され、
上記ばね体が、窪み凹所の上記開口側から奥行方向に向かう上がり勾配を有して上記副ガイドシャフトに弾接される傾斜姿勢の作用片と、
上記軸受孔にその軸線方向から挿入される支持シャフトの端部を摺接させる動作を通じて上記作用片を上記ばね体の弾性に抗して押し下げることにより、当該支持シャフトを上記作用片に乗り上がらせるガイド片と、を有することを特徴とする光ピックアップの走行案内装置。
【請求項２】
上記作用片の幅方向片側の端縁部に上記ガイド片が先下がり形状に折曲げ形成されている請求項１に記載した光ピックアップの走行案内装置。
【請求項３】
上記ばね体が、上記光学ベースに固定された取付け片部と、この取付け片部の一端部から折返し状に延び出た上記作用片と、上記ガイド片と、を備えている請求項１又は請求項２に記載した光ピックアップの走行案内装置。
【発明の詳細な説明】
【技術分野】
【０００１】
本発明は、記録媒体であるディスクの記録面を光学的に処理することに用いられる光ピックアップの走行案内装置に関する。
【背景技術】
【０００２】
この種の光ピックアップは、発光素子や受光素子、ミラー、その他の光学部品が組み付けられた光学ベースに、対物レンズや電磁駆動手段を備えた光学アクチュエータを取り付けることによって構成されている。一般的な光ピックアップでは、光学ベースの走行が主ガイドシャフトと副ガイドシャフトとによってディスクの半径方向に案内されるようになっている。
【０００３】
図６は光ピックアップ１０をディスク（不図示）の半径方向に案内するために採用されているところの、主軸側走行案内機構Ａと副軸側案内機構Ｂとを原理的に示した概略説明図である。同図の光ピックアップ１０は、光学アクチュエータ（不図示）が組み付けられた光学ベース２０に、主ガイドシャフト４１に対応するガイド軸受２１と、同じく円形断面の副ガイドシャフト４２に対応するガイド軸受２２が一体に設けられている。
【０００４】
図６に示した主軸側案内機構Ａにおいて、ガイド軸受２１は円形の軸受孔２３を備えていて、この軸受孔２３に円形断面の主ガイドシャフト４１ががたつきなく相対摺動自在に嵌合されている。これに対し、同図に示した副軸側案内機構Ｂにおいて、ガイド軸受２２の軸受孔２４は、光学ベース２０の走行方向、言い換えると主ガイドシャフト４１及び副ガイドシャフト４２の軸線方向に直交する外側方向に向いて開いた窪み凹所によって形成されていて、そのような軸受孔２４に副ガイドシャフト４２が摺動自在に嵌合されている。そして、ガイド軸受２２の軸線方向の側部位置（ガイド軸受２２の軸線方向片側位置）で光学ベース２０側に取り付けられたばね体５０が副ガイドシャフト４２をその径方向に弾圧していてることによって、窪み凹所でなる上記軸受孔２４の壁面（上壁面）を副ガイドシャフト４２に弾接させている。同図において、矢印Ｆは、軸受孔２４の壁面を副ガイドシャフト４２に弾接させている弾圧力の方向を示している。
【０００５】
ここで説明した副軸側走行案内機構Ｂによると、ばね体５０の弾圧力で軸受孔２４の壁面が副ガイドシャフト４２に常時弾接しているので、仮に、軸受孔２４と副ガイドシャフト４２との間に隙間が存在していても、そのことに関係なく、光ピックアップ１０の走行が副ガイドシャフト４２の軸線方向Ｙ（図８参照）に円滑に案内される。
【０００６】
図７は図６に示したばね体５０として採用することのできる板ばねの概略斜視図、図８はばね体５０として図７の板ばねが採用された光ピックアップ１０を示している。
【０００７】
従来例による光ピックアップ１０の走行案内装置に採用されている上記副軸側走行案内機構Ｂには、図７に示した板ばねがばね体５０として採用されている。同図の板ばねでなるばね体５０は、細長い取付け片５１の一端部に、上がり勾配を有する傾斜姿勢の作用片５２が折返し状に連設されてなり、作用片５２にはその長手方向に延びる膨出状の補強部５３が形成されている。
【０００８】
図８のように、光ピックアップ１０は、光学ベース２０に光学アクチュエータ３０が組み付けられてなる。また、光学アクチュエータ３０を挟む両側に、光学ベース２０に一体に設けられた主軸側走行案内機構Ａのガイド軸受２１と副軸側走行案内機構Ｂのガイド軸受２２とが備わっている。さらに、光学ベース２０には、図７に示した形状の板ばねでなるばね体５０が取り付けられている。図８によって理解することができるように、光学ベース２０に取り付けられたばね体５０は、傾斜姿勢の作用片５２が、ガイド軸受２２の軸受孔２４（図６参照）を形成している窪み凹所の開口２５側から奥行方向に向かう上がり勾配を有している。
【０００９】
図８は、副軸側走行案内機構Ｂのガイド軸受２２を、メカシャーシと呼ばれる固定側フレーム（不図示）に設置された副ガイドシャフト４２に挿入させる工程を示している。この工程では、同図矢印Ｘのように、ガイド軸受２２に外向きに形成されている窪み凹所の開口２５を利用して、ガイド軸受２２の軸受孔２４（図６参照）に副ガイドシャフト４２を径方向に挿入することが行われる。
【００１０】
図９（Ａ）（Ｂ）には一連の上記工程が説明的に示されている。同図（Ａ）の状態では、ばね体５０に備わっている傾斜姿勢の作用片５２が、ガイド軸受２２の軸受孔２４を形成している窪み凹所の開口２５側から奥行方向に向かう上がり勾配を有している。また、ガイド軸受２の軸受孔２４の外向きの開口２５が、副ガイドシャフト４２にその半径方向から臨まされている。この状態から、矢印Ｘのように、光ピックアップ１０のガイド軸受２２の開口２５を利用して、ガイド軸受２２の軸受孔２４に副ガイドシャフト４２が径方向に挿入されて、同図（Ｂ）のように副ガイドシャフト４２が軸受孔２４に嵌合される。同図（Ｂ）の状態では、ばね体５０の弾性に抗して副ガイドシャフト４２が作用片５２を押し下げる。したがって、作用片５２の復元力によって矢印Ｆのように軸受孔２４の壁面が副ガイドシャフト４２に弾接される。
【００１１】
上記の工程では、ガイド軸受２２の軸受孔２４に副ガイドシャフト４２を径方向に挿入するときに、その副ガイドシャフト４２が、ばね体５０の傾斜姿勢の作用片５２と摺接してその作用片５２を押し下げながら軸受孔２４に挿入される。したがって、当該工程でばね体５０がじゃまになることはなく、また、ばね体５０の作用片５２を作業者が人為的に押し下げるという煩わしい操作を行う必要性もないので、その工程を円滑に無理なく行うことができる。
【００１２】
ところで、光ピックアップ自体の組立工程やメンテナンス工程（両工程を指して組立工程という）では、その光学ベースの主軸側及び副軸側の各走行案内機構Ａ，Ｂのガイド軸受２１，２２を利用して、光学ベース２０を固定側の支持シャフトによって動かないように支えた状態で必要な作業を行うことがある。支持シャフトには上記した主ガイドシャフト４１や副ガイドシャフト４２と同一直径の丸棒を用いることができ、そのようにすることが、ガイド軸受２１，２２に支持シャフトをがたつきなく嵌合させる上で有利である。
【００１３】
図１０には上記組立工程で使われる固定側の一対の支持シャフト６１，６２と光ピックアップ１０とを分解斜視図で示してある。また、図１１（Ａ）（Ｂ）は上記組立工程に先立って行われるガイド軸受２２への支持シャフト６２の一連の挿入工程を示した説明図である。
【００１４】
上記挿入工程において、主軸側走行案内機構Ａのガイド軸受２１にその軸線方向Ｙ１（図１０参照）で一方側の支持シャフト６１を挿入することは、何らの支障もなく行うことができる。
【００１５】
しかしながら、図１０又は図１１（Ａ）に示したところの、他方側の支持シャフト６２と副軸側走行案内機構Ｂのガイド軸受２２とばね体５０の作用片５２との３者の位置関係によって判るように、ガイド軸受２２にその軸線方向Ｙ２（図１０参照）で支持シャフト６２を挿入しようとすると、図１１（Ｂ）のように、ガイド軸受２２の側部位置でその軸受孔２４を横切るように位置しているばね体５０の作用片５２に支持シャフト６２の端部６３が突き当たるためにその作用片５２がじゃまになる。そのため、ばね体５０の作用片５２を、じゃまにならない位置まで作業者が人為的に押し下げた状態を作り出して、ガイド軸受２２に支持シャフト６２を挿入することが必要になる。
【００１６】
一方、先行例として、光ピックアップの対物レンズを交換する際に、対物レンズのホルダーの孔部にロッド状の係合部を挿入させてそのホルダーを支えることが提案されている（たとえば、特許文献１参照）。たの先行例として、対物レンズを保持するレンズホルダーでなるアクチュエータ可動部を変位可能に支持するための直線状サスペンションを、容易に精度を確保して架設するためのサスペンション架設装置が提案されている（たとえば、特許文献２参照）。さらに他の先行例には、軸摺動式光ピックアップ装置の組立用治具についての記述がある（たとえば、特許文献３参照）。また、光ピックアップ部品であるマグネットの取付精度を高めるための研究なども行われている（たとえば、特許文献４、特許文献５参照）。
【先行技術文献】
【特許文献】
【００１７】
【特許文献１】特開２００６−１０７６５４号公報
【特許文献２】特開２００３−１６２８３３号公報
【特許文献３】特開平１０−２７３５１号公報
【特許文献４】特開２００１−１１８０９８号公報
【特許文献５】特開２００５−３３２５３１号公報
【発明の概要】
【発明が解決しようとする課題】
【００１８】
上記したように、従来例による光ピックアップの副軸側走行案内機構Ｂによると、図８又は図９（Ａ）を参照して説明したように、ガイド軸受２２の軸受孔２４に副ガイドシャフト４２を径方向に挿入するときには、副ガイドシャフト４２がばね体５０の傾斜姿勢の作用片５２を押し下げながら軸受孔２４に挿入されるので、ばね体５０がじゃまになったり作用片５２を変形させたりすることはない。しかし、図１０又は図１１（Ａ）を参照して説明したように、ガイド軸受２２にその軸線方向Ｙ２（図１０参照）で支持シャフト６２を挿入しようとすると、ばね体５０の作用片５２に支持シャフト６２の端部６３が突き当たってその作用片５２がじゃまになる。そのため、ばね体５０の作用片５２を、じゃまにならない位置まで作業者が人為的に押し下げた状態を作り出さねばならないという余分な作業が必要になったり、場合によっては、支持シャフト６２の端部が作用片５２に突き当たってその作用片を変形させてしまうという事態を引き起こすおそれがあった。
【００１９】
本発明は以上の状況に鑑みてなされたものであり、図７に例示したような傾斜姿勢の作用片を有するばね体を用いることを基本として、副軸側走行案内機構のガイド軸受に対して副ガイドシャフトを径方向に挿入させることが可能であると共に、作業者がばね体の作用片の押し下げ操作を人為的に行ったり、支持シャフトの端部が作用片に突き当たるという事態を生じさせたりすることなく、ガイド軸受の軸線方向で支持シャフトをそのガイド軸受に円滑に挿入して嵌合させることが可能な光ピックアップの走行案内装置を提供することを目的とする。
【課題を解決するための手段】
【００２０】
本発明に係る光ピックアップの走行案内装置は、記録媒体としてのディスクの記録面を走査する機能を備えた光ピックアップの光学ベースの走行を案内する主軸側走行案内機構及び副軸側案内機構を備えている。
【００２１】
そして、副軸側案内機構が、上記光学ベースに設けられたガイド軸受と、このガイド軸受の軸受孔に相対摺動自在に嵌合された副ガイドシャフトをその径方向に弾圧することによって上記軸受孔の壁面を当該副ガイドシャフトに弾接させるためのばね体と、を有し、このばね体が上記ガイド軸受の軸線方向の側部位置で上記光学ベースに取り付けられている。また、上記軸受孔が、上記副ガイドシャフトを径方向に挿入可能な開口を有する窪み凹所によって形成され、上記ばね体が、窪み凹所の上記開口側から奥行方向に向かう上がり勾配を有して上記副ガイドシャフトに弾接される傾斜姿勢の作用片と、上記軸受孔にその軸線方向から挿入される支持シャフトの端部を摺接させる動作を通じて上記作用片を上記ばね体の弾性に抗して押し下げることにより、当該支持シャフトを上記作用片に乗り上がらせるガイド片と、を有する。
【００２２】
この構成を備えた上記走行案内装置によると、副軸側走行案内機構のガイド軸受の軸受孔に副ガイドシャフトを径方向に挿入するときには、副ガイドシャフトがばね体の傾斜姿勢の作用片を押し下げながら軸受孔に円滑に挿入される。また、副軸側走行案内機構のガイド軸受の軸受孔に支持シャフトを軸線方向に挿入するときには、ガイド片に支持シャフトの端部が摺接する作用片をばね体の弾性に抗して押し下げる動作を通じて、当該支持シャフトをその作用片に乗り上がらせるので、作用片がじゃまになったり、作用片に支持シャフトの端部が突き当たってその作用片を変形させてしまうという事態が起こらない。また、作業者がばね体の作用片の押し下げ操作を人為的に行う必要もない。
【００２３】
本発明では、上記作用片の幅方向片側の端縁部に上記ガイド片が先下がり形状に折曲げ形成されていることが望ましい。この構成を採用すると、ガイド片が作用片に一体に連設されていることにより、ガイド片を別部品で構成する必要がなくなって部品点数を増やさなくて済む。
【００２４】
本発明では、上記ばね体が、上記光学ベースに固定された取付け片部と、この取付け片部の一端部から折返し状に延び出た上記作用片と、上記ガイド片と、を備えていることが望ましい。この構成であると、ばね体を、図８に示した従来例と同様の形態で光学ベースに取り付けることが可能になる。
【発明の効果】
【００２５】
本発明によると、副軸側走行案内機構のガイド軸受に対して副ガイドシャフトを径方向に円滑に挿入して嵌合させることが可能である。また、ばね体が傾斜姿勢の作用片を有しているにもかかわらず、作業者が作用片の押し下げ操作を人為的に行ったり、支持シャフトの端部が作用片に突き当たるという事態を生じたりすることなく、ガイド軸受の軸線方向で支持シャフトをそのガイド軸受に円滑に挿入して嵌合させることが可能であるという効果が奏される。
【図面の簡単な説明】
【００２６】
【図１】本発明の実施形態に係る走行案内装置を備えた光ピックアップの概略斜視図である。
【図２】ばね体の斜視図である。
【図３】図２のＩＩＩ−ＩＩＩ線に沿う部分の断面図である。
【図４】（Ａ）（Ｂ）は副軸側走行案内装置のガイド軸受を副ガイドシャフトに挿入して嵌合させるための一連の工程を示した説明図である。
【図５】（Ａ）（Ｂ）（Ｃ）（Ｄ）は光ピックアップの組立工程に先立って行われる支持シャフトの一連の挿入工程を示した説明図である。
【図６】光ピックアップの主軸側走行案内機構と副軸側案内機構とを原理的に示した概略説明図である。
【図７】図６のばね体として採用することのできる板ばねの概略斜視図である。
【図８】ばね体として図７の板ばねを採用した光ピックアップの概略斜視図である。
【図９】（Ａ）（Ｂ）は副軸側走行案内装置のガイド軸受を副ガイドシャフトに挿入して嵌合するための一連の工程を示した説明図である。
【図１０】支持シャフトと光ピックアップ１０とを示した分解斜視図である。
【図１１】（Ａ）（Ｂ）は組立工程に先立って行われる支持シャフトの一連の挿入工程を示した説明図である。
【発明を実施するための形態】
【００２７】
図１は本発明の実施形態に係る走行案内装置を備えた光ピックアップ１０の概略斜視図である。また、図２はばね体５０の斜視図、図３は図２のＩＩＩ−ＩＩＩ線に沿う部分の断面図である。さらに、図４（Ａ）（Ｂ）は副軸側走行案内装置Ｂのガイド軸受２２を副ガイドシャフト４２に嵌合するための一連の工程を示した説明図であり、図５（Ａ）（Ｂ）（Ｃ）（Ｄ）は光ピックアップ１０の組立工程に先立って行われる支持シャフト６１の一連の挿入工程を示した説明図である。
【００２８】
図１のように、光ピックアップ１０は、光学ベース２０に光学アクチュエータ３０が組み付けられてなる。また、光学アクチュエータ３０を挟む両側に、光学ベース２０に一体に設けられた主軸側走行案内機構Ａのガイド軸受２１と副軸側走行案内機構Ｂのガイド軸受２２とが備わっている。光学ベース２０には、図２に示した形状の板ばねでなるばね体５０が取り付けられている。
【００２９】
図２の板ばねでなるばね体５０は、細長い取付け片５１の一端部に、上がり勾配を有する傾斜姿勢の作用片５２が折返し状に連設されてなる。そして、図３にも示したように、作用片５２にはその長手方向に延びる膨出状の補強部５３が形成されている。さらに、作用片５２の幅方向片側の端縁部に舌片状のガイド片５４が先下がり形状に折曲げ形成されている。図４（Ａ）のように、ばね体５０は、その取付け片部５１が、ガイド軸受２２の軸線方向の側部で、光学ベース２０の取付け座部２６に重ね合わせて取り付けられている。そして、そのばね体５０の傾斜姿勢の作用片５２が、ガイド軸受２２の軸受孔２４の側部で、その軸受孔２４を形成している窪み凹所の開口２５側から奥行方向に向かう上がり勾配を有している。
【００３０】
図４（Ａ）（Ｂ）を参照して副軸側走行案内機構Ｂのガイド軸受２２を、メカシャーシと呼ばれる固定側フレーム（不図示）に設置された副ガイドシャフト４２に挿入して嵌合させる挿入工程を説明する。
【００３１】
この挿入工程では、図４（Ａ）の矢印Ｘのように、ガイド軸受２２に外向きに形成されている窪み凹所の開口２５を利用して、ガイド軸受２２の軸受孔２４に副ガイドシャフト４２を径方向に挿入することが行われる。この挿入工程では、ばね体５０の弾性に抗して副ガイドシャフト４２が傾斜姿勢の作用片５２と摺接してその作用片５２を押し下げながら軸受孔２４に同図（Ｂ）のように円滑に挿入される。したがって、作用片５２の復元力によって同図（Ｂ）の矢印Ｆのように軸受孔２４の壁面がその軸受孔２４に嵌合されている副ガイドシャフト４２に弾接される。また、ガイド軸受２２の軸受孔２４に副ガイドシャフト４２を挿入するときに、ばね体５０がじゃまになることはなく、ばね体５０の作用片５２を作業者が人為的に押し下げるという煩わしい操作を行う必要もない。
【００３２】
これに対し、光ピックアップ１０の組立工程に先立って行われるガイド軸受２２への支持シャフト６２の一連の挿入工程は図５（Ａ）〜（Ｄ）のように行われる。すなわち、ガイド軸受２２の軸受孔２４に図５（Ａ）のように対向させた支持シャフト６２を軸線方向に挿入するときには、図５（Ｂ）のようにばね体５０のガイド片５４に支持シャフト６２の端部６２が当接した後、その支持シャフト６２がガイド片５４に摺接し、ガイド片５４と共に作用片５２を図５（Ｃ）のようにばね体５０の弾性に抗して押し下げて当該支持シャフト６２が作用片５２に乗り上がらる。そのため、支持シャフト６２が図５（Ｄ）のようにガイド軸受２２の軸受孔２４に軸線方向で円滑に挿入されるようになり、作用片５２がじゃまになったり、作用片５２に支持シャフト６１の端部６２が突き当たってその作用片５２を変形させてしまうという事態が起こらない。また、作業者がばね体の作用片の押し下げ操作を人為的に行う必要もない。
【００３３】
図１〜図１１では、説明の便宜上、同一又は相応する要素に同一符号を付してある。
【符号の説明】
【００３４】
Ａ  主軸側走行案内機構
Ｂ  副軸側走行案内機構
Ｘ  副ガイドシャフトの径方向
Ｙ  副ガイドシャフトの軸線方向
Ｙ２  ガイド軸受の軸線方向
１０  光ピックアップ
２０  光学ベース
２２  ガイド軸受
２４  軸受孔
２５  窪み凹所の開口
４２  副ガイドシャフト
５０  ばね体
５１  ガイド片
５２  作用片
【図１】
2012155812.tif 000003
【図２】
2012155812.tif 000004
【図３】
2012155812.tif 000005
【図４】
2012155812.tif 000006
【図５】
2012155812.tif 000007
【図６】
2012155812.tif 000008
【図７】
2012155812.tif 000009
【図８】
2012155812.tif 000010
【図９】
2012155812.tif 000011
【図１０】
2012155812.tif 000012
【図１１】
2012155812.tif 000013